(57)【要約】【課題】解像度や形状の異なる様々な表示装置に対して多量の情報を吹き出し表示画像として表示することができる吹き出し表示装置を提供する。【解決手段】吹き出し表示部分画面に吹き出し情報を表示する複数の情報表示部１ａ，１ｂ，１ｃ，１ｄ，１ｅを設け、この情報表示部のうち所望の複数の情報表示部１ｃ，１ｄ，１ｅをグループ表示エリア３としてまとめるとともに、またグループ表示エリア３内にまとめられた複数の情報表示部および該グループ表示エリア３内にまとめられていない情報表示部を複合表示エリア５としてまとめ、各々をスクロールするスクロールマーク７ａ，７ｂ，７ｃ，７ｄ，７ｅ，７ｆ，７ｇを設け、このスクロールマーク７で情報表示部１を個別にスクロールしたり、グループ表示エリア３を全体的にスクロールしたり、複合表示エリア５を全体的にスクロールする。【選択図】　　　図２
2004045621.tif 000002
【特許請求の範囲】
【請求項１】
情報が表示されている表示画面上に前記情報とは別に独立した吹き出し情報を吹き出し表示部分画面の形式で表示する吹き出し表示装置であって、
各々がそれぞれの吹き出し情報を表示する１つ以上の情報表示部と、
この情報表示部のうちの所望の複数の情報表示部に対して所定の制御を全体的に行い得るようにまとめたグループ表示エリアと、
このグループ表示エリア内にまとめられた複数の情報表示部および該グループ表示エリア内にまとめられていない情報表示部に対して所定の制御を全体的に行い得るようにまとめた複合表示エリアと、
前記１つ以上の情報表示部のうち指定された情報表示部の各々に表示された情報に対して個別にスクロールを行う個別スクロール手段と、
前記グループ表示エリアに対して全体的にスクロールを行うグループスクロール手段と、
前記複合表示エリアに対して全体的にスクロールを行う複合スクロール手段と
を有することを特徴とする吹き出し表示装置。
【請求項２】
前記吹き出し表示部分画面の全体の大きさを前記表示画面の大きさを上限として拡大縮小する拡大縮小手段を有することを特徴とする請求項１記載の吹き出し表示装置。
【請求項３】
前記吹き出し表示部分画面に表示されている吹き出し情報のフォントサイズを変更するフォントサイズ変更手段を有し、
前記拡大縮小手段は、前記フォントサイズ変更手段により変更されたフォントサイズの大きさに応じて吹き出し表示部分画面の全体の大きさを拡大縮小するフォントサイズ対応拡大縮小手段
を有することを特徴とする請求項２記載の吹き出し表示装置。
【請求項４】
前記個別スクロール手段、グループスクロール手段および前記複合スクロール手段は、それぞれ
スクロール対象を横方向または縦方向または横方向と縦方向の両方向にスクロールさせるためのマークとしてスクロール対象に近接して表示されたスクロール表示手段と、
このスクロール表示手段を操作することによりこの操作されたスクロール表示手段に対応するスクロールをスクロール対象に対して行うスクロール実施手段と
を有することを特徴とする請求項１記載の吹き出し表示装置。
【請求項５】
前記情報表示部を吹き出し表示部分画面内で自由に配置させ得るように制御する配置制御手段を有することを特徴とする請求項１記載の吹き出し表示装置。
【請求項６】
前記情報表示部に対して文字列を入力する文字列入力手段を有することを特徴とする請求項１記載の吹き出し表示装置。
【請求項７】
前記情報表示部に所定の機能を有する機能ボタンを表示し、この表示された機能ボタンを操作することにより該機能ボタンの有する所定の機能を実行する機能ボタン表示実行手段を有することを特徴とする請求項１記載の吹き出し表示装置。
【請求項８】
前記情報表示部に複数の情報をリスト形式で表示し、この表示されたリストのうちの所望の情報を指定することができるリスト表示指定手段を有することを特徴とする請求項１記載の吹き出し表示装置。
【発明の詳細な説明】
【０００１】
【発明の属する技術分野】
本発明は、例えばパソコンやデータ処理端末などにおいて情報が表示されている表示画面上に前記情報とは別に独立した吹き出し情報を吹き出し表示部分画面の形式で表示する吹き出し表示装置に関する。
【０００２】
【従来の技術】
吹き出し表示装置によりパソコンなどの表示画面に吹き出し情報を表示する吹き出し表示部分画面とは、図９に示すように、例えばタヌキに関連して枠で囲って表示される部分画面９１や９２である。このような吹き出し表示部分画面９１，９２は、例えばユーザがパソコンなどを操作していて調べたいものがあった場合などに所定の操作を行うことにより表示されるものであったり、または漫画における会話の内容を表示するものであったり、またはブラウザのように情報を表示するものなどである。
【０００３】
この吹き出し表示部分画面９１，９２に表示される吹き出し情報としては、図示のように表示文字列、複数の情報をリスト形式で表示したリスト、ユーザが入力する入力文字列、オプションや検索などの所定の機能を有するボタンなどが表示されている。リストに対してはユーザがポインタなどで指定することにより複数の情報の中から所望の情報を選択することができ、入力文字列に対してユーザがポインタなどで指定してから文字列をキーボードなどから入力することができ、またボタンに対してはユーザがポインタなどで指定することにより該ボタンが有する所定の機能をパソコンなどに実行させることができるものである。
【０００４】
【発明が解決しようとする課題】
上述した従来の吹き出し表示装置による吹き出し表示部分画面では、該吹き出し情報の提供者であるコンテンツ提供者が自由に情報を配置できないとともに、吹き出し情報のフォントサイズが変更できないため、解像度の高い画面に表示すると文字が読み難くなるという問題がある。
【０００５】
更に具体的には、従来は吹き出し表示部分画面の吹き出し表示サイズが固定されているため、吹き出し情報を提供する側にデザインの自由度がなく、情報量が少ない場合には、意図せず、間の抜けた吹き出し情報の表示になり、情報量が多くなると、単一の吹き出し表示部分画面に表示し切れなくなるという問題がある。
【０００６】
また、従来は吹き出し情報のフォントサイズが固定されているため、表示装置の解像度が変わるなどした場合には、表示文字が小さく感じられるなどして可読性が低下するという問題がある。
【０００７】
更に、吹き出し表示部分画面が情報量に応じて一定方向に伸張するため、情報量が多くなっても単一の吹き出し表示部分画面に情報を表示可能であるが、吹き出し表示部分画面によっては吹き出し情報が吹き出し表示部分画面である表示領域によっては吹き出し情報が表示領域から外れてしまうという問題がある。
【０００８】
なお、上述した問題は画一的な表示領域と表示する吹き出し情報のデザインによって回避していたが、現在表示装置は様々な解像度や形状を有しており、表示装置に応じてデザインを変更することは煩雑であり、現実的でないという問題がある。
【０００９】
本発明は、上記に鑑みてなされたもので、その目的とするところは、解像度や形状の異なる様々な表示装置に対して多量の情報を吹き出し表示画像として表示することができる吹き出し表示装置を提供することにある。
【００１０】
【課題を解決するための手段】
上記目的を達成するため、請求項１記載の本発明は、情報が表示されている表示画面上に前記情報とは別に独立した吹き出し情報を吹き出し表示部分画面の形式で表示する吹き出し表示装置であって、各々がそれぞれの吹き出し情報を表示する１つ以上の情報表示部と、この情報表示部のうちの所望の複数の情報表示部に対して所定の制御を全体的に行い得るようにまとめたグループ表示エリアと、このグループ表示エリア内にまとめられた複数の情報表示部および該グループ表示エリア内にまとめられていない情報表示部に対して所定の制御を全体的に行い得るようにまとめた複合表示エリアと、前記１つ以上の情報表示部のうち指定された情報表示部の各々に表示された情報に対して個別にスクロールを行う個別スクロール手段と、前記グループ表示エリアに対して全体的にスクロールを行うグループスクロール手段と、前記複合表示エリアに対して全体的にスクロールを行う複合スクロール手段とを有することを要旨とする。
【００１１】
請求項１記載の本発明にあっては、吹き出し情報を表示する情報表示部のうち所望の複数の情報表示部をグループ表示エリアとしてまとめ、このグループ表示エリア内にまとめられた複数の情報表示部および該グループ表示エリア内にまとめられていない情報表示部を複合表示エリアとしてまとめ、情報表示部のうち指定された情報表示部の各々に表示された情報を個別にスクロール可能とし、グループ表示エリアを全体的にスクロール可能とし、複合表示エリアを全体的にスクロール可能とするため、情報表示部を適宜まとめるなどして自由なデザインの吹き出し情報を自由なサイズおよび自由な表現で生成できるとともに、表示しきれない吹き出し情報についてはスクロールを用いて自在に表示でき、多量の情報を的確に表示することができる。
【００１２】
また、請求項２記載の本発明は、請求項１記載の発明において、前記吹き出し表示部分画面の全体の大きさを前記表示画面の大きさを上限として拡大縮小する拡大縮小手段を有することを要旨とする。
【００１３】
請求項２記載の本発明にあっては、吹き出し表示部分画面の全体の大きさを拡大縮小することができるため、表示装置の解像度に応じた吹き出し表示を行うことができ、可読性を向上することができる。
【００１４】
更に、請求項３記載の本発明は、請求項２記載の発明において、前記吹き出し表示部分画面に表示されている吹き出し情報のフォントサイズを変更するフォントサイズ変更手段を有し、前記拡大縮小手段は、前記フォントサイズ変更手段により変更されたフォントサイズの大きさに応じて吹き出し表示部分画面の全体の大きさを拡大縮小するフォントサイズ対応拡大縮小手段を有することを要旨とする。
【００１５】
請求項３記載の本発明にあっては、吹き出し情報のフォントサイズを変更し、この変更されたフォントサイズの大きさに応じて吹き出し表示部分画面の全体の大きさを拡大縮小するため、表示装置の解像度に応じてフォントサイズを変更するとともに、フォントサイズに応じて拡大縮小して吹き出し表示を行うことができ、可読性を向上することができる。
【００１６】
請求項４記載の本発明は、請求項１記載の発明において、前記個別スクロール手段、グループスクロール手段および前記複合スクロール手段が、それぞれスクロール対象を横方向または縦方向または横方向と縦方向の両方向にスクロールさせるためのマークとしてスクロール対象に近接して表示されたスクロール表示手段と、このスクロール表示手段を操作することによりこの操作されたスクロール表示手段に対応するスクロールをスクロール対象に対して行うスクロール実施手段とを有することを要旨とする。
【００１７】
また、請求項５記載の本発明は、請求項１記載の発明において、前記情報表示部を吹き出し表示部分画面内で自由に配置させ得るように制御する配置制御手段を有することを要旨とする。
【００１８】
請求項５記載の本発明にあっては、情報表示部を吹き出し表示部分画面内で自由に配置させ得るため、自由なデザインの吹き出し情報を自由なサイズおよび自由な表現で生成することができる。
【００１９】
更に、請求項６記載の本発明は、請求項１記載の発明において、前記情報表示部に対して文字列を入力する文字列入力手段を有することを要旨とする。
【００２０】
請求項７記載の本発明は、請求項１記載の発明において、前記情報表示部に所定の機能を有する機能ボタンを表示し、この表示された機能ボタンを操作することにより該機能ボタンの有する所定の機能を実行する機能ボタン表示実行手段を有することを要旨とする。
【００２１】
また、請求項８記載の本発明は、請求項１記載の発明において、前記情報表示部に複数の情報をリスト形式で表示し、この表示されたリストのうちの所望の情報を指定することができるリスト表示指定手段を有することを要旨とする。
【００２２】
【発明の実施の形態】
以下、図面を用いて本発明の実施の形態を説明する。図１は、本発明の一実施形態に係る吹き出し表示装置により吹き出し情報を表示している吹き出し表示部分画面を示す図である。この吹き出し表示部分画面は、図示しない例えばパソコンなどのディスプレイに既に表示されている表示画面上に例えばウィンドウのように別に独立して表示されるものであり、図示のように画像、表示文字列、入力文字列、ボタンなどのような複数の吹き出し情報を表示している。
【００２３】
図１に示す吹き出し表示部分画面は、詳しくは図２に示すように、各々がそれぞれの吹き出し情報を表示する複数の情報表示部１ａ，１ｂ，１ｃ，１ｄ，１ｅを有する。同図においては、この複数の情報表示部１のうち上側において横に並んだ３つの情報表示部１ｃ，１ｄ，１ｅは、破線で囲んで示すグループ表示エリア３内にまとめられ、例えばスクロールなどの所定の制御を全体的に行われるようになっている。
【００２４】
また、図１に示す吹き出し表示部分画面において、情報表示部１ａ，１ｂおよびグループ表示エリア３は、全体的に点線で囲んで示す複合表示エリア５内にまとめられ、すなわち複合表示エリア５で全体的に囲まれ、例えばスクロールなどの所定の制御を全体的に行われるようになっている。
【００２５】
なお、図１では、吹き出し表示部分画面に２つの情報表示部１ａ，１ｂ、３つの情報表示部１ｃ，１ｄ，１ｅを囲んだグループ表示エリア３、および全体を囲んだ複合表示エリア５を図示しているが、これらは一例であって、本発明はこれらの数や図示例に制限されるものでなく、吹き出し表示部分画面に１つの情報表示部１のみが表示されてもよいし、グループ表示エリア３は３つの情報表示部１を囲むのでなく、２つや４つ以上でもよいし、グループ表示エリア３がなくてもよいし、複合表示エリア５は図２のように吹き出し表示部分画面の全体を囲んだり、情報表示部１ａ，１ｂおよびグループ表示エリア３を囲むものだけでなく、少なくとも情報表示部１とグループ表示エリア３の両方を囲むもの、すなわち情報表示部１ｂおよびグループ表示エリア３のみを囲むものであってもよいし、更に各情報表示部１は横長に図示されているが、縦長のものであってもよいものである。
【００２６】
また、複数の情報表示部１ａ，１ｂ，１ｃ，１ｄ，１ｅの各々の側近には、横方向または縦方向または同図では示されていないが横方向と縦方向の両方向にスクロールさせるためのスクロール表示手段である一対の互いに逆方向を向いた複数のスクロールマーク７ａ，７ｂ，７ｃ，７ｄ，７ｅ，７ｆ，７ｇが近接して表示されている。
【００２７】
この複数のスクロールマーク７のうち、スクロールマーク７ａ〜７ｅは個別スクロール手段を構成するものであり、スクロールマーク７ａは、情報表示部１ａに表示された吹き出し情報を上下方向にスクロールするためのものであり、スクロールマーク７ｂは、情報表示部１ｂに表示された吹き出し情報を上下方向にスクロールするためのものであり、スクロールマーク７ｃは、情報表示部１ｃに表示された吹き出し情報を上下方向にスクロールするためのものであり、スクロールマーク７ｄは、情報表示部１ｄに表示された吹き出し情報を上下方向にスクロールするためのものであり、スクロールマーク７ｅは、情報表示部１ｅに表示された吹き出し情報を上下方向にスクロールするためのものである。
【００２８】
また、スクロールマーク７ｆは、グループスクロール手段を構成するものであり、グループ表示エリア３内に表示された複数の情報表示部１ｃ，１ｄ，１ｅそのものを左右方向にスクロールするものである。具体的には、このグループ表示エリア３内に複数の情報表示部１ｃ，１ｄ，１ｅ以外に例えば情報表示部１ｅの右側に更に別の情報表示部１ｆ，１ｇなどが存在するものであるが、図１の吹き出し表示部分画面では隠れて図示されていないような場合に、このスクロールマーク７ｆを操作して、具体的にはスクロールマーク７ｆのうち右方向のスクロールを操作することにより情報表示部１ｅの右側に隠れて見えない情報表示部１ｆや１ｇがスクロールされて図示されるようになるものである。
【００２９】
更に、スクロールマーク７ｇは、複合スクロール手段を構成するものであり、複合表示エリア５内に表示された情報表示部１ａ，１ｂおよびグループ表示エリア３を全体的に上下方向にスクロールするものである。具体的には、このグループ表示エリア３内に図１で示されている情報表示部１ａ，１ｂおよびグループ表示エリア３以外に例えば情報表示部１ａの下側に更に別の情報表示部１ｚなどが存在するものであるが、図１の吹き出し表示部分画面では隠れて図示されていないような場合に、このスクロールマーク７ｇを操作して、具体的にはスクロールマーク７ｇのうち下方向のスクロールを操作することにより情報表示部１ａの下側に隠れて見えない情報表示部１ｚなどがスクロールされて図示されるようになるものである。
【００３０】
図２に示すように構成される吹き出し表示部分画面の各情報表示部１に吹き出し情報を表示した例が図１に示す吹き出し表示部分画面である。この図１では、上部において横方向に並んで図示されている３つの画像がそれぞれ図２の３つの情報表示部１ｃ，１ｄ，１ｅに対応するものであり、これは図１のような実際の画面では図示しないが、図２に示したようなグループ表示エリア３内に設けられているものである。
【００３１】
また、図１において、ほぼ中央に図示されている３行の表示文字列が図２の情報表示部１ｂに対応し、一番下に図示されている「ＯＫ」と「キャンセル」なるボタンが図２の情報表示部１ａに対応し、この上の「眼鏡のような形をしたもの」という入力文字列が図２の情報表示部１ａと１ｂとの間に更に設けられた別の情報表示部１に対応しているものである。
【００３２】
図１において、「ＯＫ」と「キャンセル」なるボタンで図示するように、情報表示部１には、所定の機能を有する機能ボタンを表示することができ、この表示されたボタンを例えばクリックなどで操作することによりこのボタンの有する所定の機能を実行することができる機能ボタン表示実行手段が本実施形態では備えられているものである。
【００３３】
また、図１において、「眼鏡のような形をしたもの」という入力文字列で図示するように、情報表示部１に対して文字列を入力する文字列入力手段を本実施形態では備えているものである。
【００３４】
なお、図１においては、ほぼ真中に図示する３行の表示文字列に対して、その右側に下向きのスクロールを図示するようにこの下向きのスクロールをクリックなどで操作すると、この３行の表示文字列の下側に隠れていた表示文字列が更に現れて表示されるようになっているものである。すなわち、図１では、３行の表示文字列しか表示されていないが、実際にはその下側に続いて更に多くの行の表示文字列があるものである。
【００３５】
また、図１において、一番上の３つの画像に対しては、全体的に、すなわち上述したように図示しないグループ表示エリア３に対応して１つの右向きのスクロールマークが近接した下側に図示されているが、このスクロールマークを例えばクリックなどで操作すると、３つの画像は右方向に移動し、左側に別の画像が更に表示されることになる。すなわち、図１では、吹き出し表示部分画面に３つの画像のみを図示し、スクロールマークを操作することにより、更に画像を表示するようにしているものである。
【００３６】
なお、スクロールマーク７は、すべての情報表示部の吹き出し情報に対して設ける必要はなく、吹き出し情報を情報表示部内に表示しきれないもののみに対して設ければよいし、また情報表示部に対してスクロールマーク７を設けるにしても、常時表示しておく必要はなく、常時は画像に表示せず、必要な場合にのみ所定の操作で表示するようにしてもよいものである。また、スクロールマークを設ける場合においても、情報表示部によっては縦方向および横方向の両方を設ける必要がある場合もあるが、常に両方のスクロールマークを設ける必要はなく、縦方向または横方向のうちの必要なスクロールマークのみを設ければよいものである。
【００３７】
次に、図３を参照して、本実施形態の吹き出し表示装置に設けられている拡大縮小手段について説明する。
【００３８】
本実施形態は、図１に示すような吹き出し表示部分画面の全体の大きさを例えばパソコンなどの表示画面の大きさを上限として拡大縮小する手段を有している。この拡大縮小手段は、図３に示すように吹き出し表示部分画面に表示されている吹き出し情報のフォントサイズの変更に応じて吹き出し表示部分画面の全体の大きさを拡大縮小するようになっている。図３では、フォントサイズが１０の場合には同図の左側に示すように吹き出し表示部分画面は拡大して図示され、フォントサイズを６に小さく変更すると、このフォントサイズの変更に応じて同図の右側に示すように吹き出し表示部分画面が縮小して図示される。このようにフォントサイズを変更することにより、表示装置の解像度に応じた吹き出し表示を行うことができる。
【００３９】
このようにフォントサイズを変更することにより、例えば解像度が非常に低い表示装置でもフォントサイズを小さく設定することにより、解像度の高い表示装置と同じレイアウトで吹き出し情報を表示することができる。また、フォントサイズを小さくしても、表示装置の表示画面に吹き出し情報が収まらない場合には、スクロールマーク７を設けて、スクロールを行って、収まりきれない吹き出し情報を表示することができるようになる。
【００４０】
すなわち、本実施形態の吹き出し表示装置は、吹き出し表示部分画面に表示されている吹き出し情報のフォントサイズを変更するフォントサイズ変更手段を有し、拡大縮小手段は、フォントサイズ変更手段により変更されたフォントサイズの大きさに応じて吹き出し表示部分画面の全体の大きさを拡大縮小するフォントサイズ対応拡大縮小手段を有するものである。
【００４１】
次に、図４を参照して、吹き出し表示部分画面の全体をスクロールする例について説明する。
【００４２】
例えば、図４（ａ）に示すように、表示装置の表示画面の関係から吹き出し情報のすべてを吹き出し表示部分画面に表示できない場合、この吹き出し表示部分画面の全体を囲むように複合表示エリア５を画定し、この複合表示エリア５に対応する図４（ａ）の右端に示すスクロールマーク（すなわち、図２に示すスクロールマーク７ｇと同様なスクロールマーク）を操作することにより、図４（ｂ）に示すように、吹き出し表示部分画面の下方に隠れて表示されていなかった吹き出し情報、すなわち図４（ｂ）では「眼鏡のような形をしたもの」という入力文字列と「ＯＫ」、「キャンセル」というボタンからなる吹き出し情報を表示することができる。
【００４３】
すなわち、表示装置の解像度が低く、フォントサイズによっては全吹き出し情報を元の形で吹き出し表示部分画面内に表示できない場合があるが、このような場合に、スクロールマークで吹き出し情報をスクロールすることにより、図４（ａ）に示すように吹き出し表示部分画面の下方に隠れて表示されていなかった吹き出し情報を図４（ｂ）に示すようにスクロールし、吹き出し表示部分画面に表示することができる。
【００４４】
次に、図５を参照して、情報表示部１に表示されるＧＵＩ（Ｇｒａｐｈｉｃａｌ　Ｕｓｅｒ　Ｉｎｔｅｒｆａｃｅ）について説明する。
【００４５】
図５に示すＧＵＩとしては、一例としてテキスト表示、エディットボックス（文字入力）、ピクチャ（画像、映像等）、リスト表示・入力、ボタンなどがある。このようなＧＵＩは、例えば図１に示すように各情報表示部１に表示される。このＧＵＩの例えばエディットボックスまたは本実施形態が適用されるパソコンなどのキーボードなどにより文字列入力手段を構成し、この文字列入力手段から吹き出し表示部分画面の情報表示部１に対して文字列を入力することができる。
【００４６】
本実施形態の吹き出し表示装置では、情報表示部１を吹き出し表示部分画面内でユーザ操作などにより自由に配置させ得るように制御する配置制御手段を有し、この配置制御手段で吹き出し表示部分画面内に配置された情報表示部１に上記ＧＵＩを用いて所望の情報を表示することができる。
【００４７】
また、本実施形態の吹き出し表示装置では、ＧＵＩのリスト表示・入力を利用するなどによりリスト表示指定手段を構成し、このリスト表示指定手段により情報表示部１に複数の情報をリスト形式で表示し、この表示されたリストのうちの所望の情報を指定することができる。
【００４８】
本実施形態の吹き出し表示装置における各情報表示部およびスクロールマークのそれぞれの設定や情報表示部への文字や画像の書き込みなどは、設定ファイルまたはリソースファイルを本吹き出し表示装置に読み込むことにより行うことができる。
【００４９】
この設定ファイルとして、例えば図１に示すような吹き出し情報を表示する場合には、一例として次のようになる。
【００５０】
設定ファイル
＜吹き出し　横幅＝３０文字＞
＜情報表示部　向き＝縦＞
＜情報表示部　向き＝横＞
＜情報表示部＞＜ピクチャ＞四角丸．ｂｍｐ＜／ピクチャ＞＜／情報表示部＞
＜情報表示部＞＜ピクチャ＞人型．ｉｎｇ＜／ピクチャ＞＜／情報表示部＞
＜情報表示部＞＜ピクチャ＞めがね．ｇｉｆ＜／ピクチャ＞＜／情報表示部＞
＜情報表示部＞＜ピクチャ＞その他．ｔｉｆｆ＜／ピクチャ＞＜／情報表示部＞
＜／情報表示部＞
＜情報表示部＞＜テキスト表示＞やあ、こんにちは。￥ｎ上の絵の中で、…＜／テキスト表示＞＜／情報表示部＞
＜情報表示部＞＜エディットボックス／＞＜／情報表示部＞
＜情報表示部＞
＜ボタン＞＜１　ボタン＞ＯＫ＜／１　ボタン＞＜１　ボタン＞キャンセル＜／１　ボタン＞＜／ボタン＞
＜／情報表示部＞
＜／情報表示部＞
＜／吹き出し＞
なお、上記設定ファイルにおけるピクチャは外部リソースファイルとして読み込んでもよい。複数のピクチャと設定ファイルを単一ファイルに合成したリソースファイルを利用してもよい。
【００５１】
次に、図６〜図８に示すフローチャートを参照して、本実施形態の吹き出し表示装置の処理について説明する。なお、この処理においては、情報表示部１ａ，１ｂ，１ｃ，１ｄ，１ｅを上位の情報表示部とし、グループ表示エリア３を中位の情報表示部とし、複合表示エリア５を最下位の情報表示部として説明する。
【００５２】
まず、図６に示すフローチャートを参照して、吹き出し表示処理について説明する。最下位の情報表示部に対して図７のサイズ取得処理を適用する（ステップＳ１１）。図７のサイズ取得処理に進み、サイズ取得処理を実施する（ステップＳ１３）。サイズ取得処理が終了すると、次に最下位の情報表示部に対して図８の表示処理を適用する（ステップＳ１５）。図８の表示処理に進み、表示処理を実施する（ステップＳ１７）。
【００５３】
次に、図７に示すフローチャートを参照して、サイズ取得処理について説明する。まず、上位に情報表示部があるか否かを判定する（ステップＳ２１）。ない場合には、情報表示に必要なサイズを求め、情報表示部のサイズとし（ステップＳ２３）、この情報表示部のサイズを処理呼び出し元に返却する（ステップＳ２５）。
【００５４】
また、ステップＳ２１の判定において、上位に情報表示部がある場合には、上位に未処理の情報表示部があるか否かを判定する（ステップＳ２７）。未処理のものがない場合には、上位情報表示部のサイズを合計して情報表示部のサイズとし（ステップＳ２９）、このサイズを処理呼び出し元に返却する（ステップＳ２５）。
【００５５】
更に、ステップＳ２７の判定において、上位に未処理の情報表示部がある場合には、上位情報表示部に対して「情報表示部の処理」を適用する（ステップＳ３１）。そして、サイズ取得処理に進み（ステップＳ３３）、上位情報表示部のサイズを取得し（ステップＳ３５）、ステップＳ２７に戻り、以下同様の処理を繰り返し行う。
【００５６】
次に、図８に示すフローチャートを参照して、表示処理について説明する。まず、情報表示部のサイズが下位の情報表示部の可能サイズに収まるか否かを判定する（ステップＳ４１）。収まらない場合には、情報表示部のサイズを可能サイズ以下に設定し、スクロールマーク７を表示する（ステップＳ４３）。このようにスクロールマーク７を表示した後、およびステップＳ４１で可能サイズに収まる場合には、ステップＳ４５に進み、上位に表示可能で未処理の情報表示部があるか否かを判定し、ない場合には、情報を表示して本処理を終了するが（ステップＳ４７）、ステップＳ４５の判定において未処理の情報表示部がある場合には、上位情報表示部に対して「表示処理」を適用する（ステップＳ４９）。そして、この表示処理に進み（ステップＳ５１）、それからステップＳ４５に戻り、以下同様に未処理の情報表示部がなくなるまで繰り返し行う。
【００５７】
なお、上記実施形態では、吹き出し表示について説明したが、本実施形態の吹き出し表示装置は、これに限定されるものでなく、例えば新着情報の表示、ウェブ情報の表示などのように情報に明確な順序付けが可能な情報の表示について同様に適用し得るものである。
【００５８】
【発明の効果】
以上説明したように、本発明によれば、吹き出し情報を表示する情報表示部のうち所望の複数の情報表示部をグループ表示エリアとしてまとめ、このグループ表示エリア内にまとめられた複数の情報表示部および該グループ表示エリア内にまとめられていない情報表示部を複合表示エリアとしてまとめ、情報表示部のうち指定された情報表示部の各々に表示された情報を個別にスクロール可能とし、グループ表示エリアを全体的にスクロール可能とし、複合表示エリアを全体的にスクロール可能とするので、情報表示部を適宜まとめるなどして自由なデザインの吹き出し情報を自由なサイズで生成できるとともに、表示しきれない吹き出し情報についてはスクロールを用いて自在に表示でき、多量の情報を的確に表示することができる。
【００５９】
また、本発明によれば、吹き出し表示部分画面の全体の大きさを拡大縮小することができるので、表示装置の解像度に応じた吹き出し表示を行うことができ、可読性を向上することができる。
【００６０】
更に、本発明によれば、吹き出し情報のフォントサイズを変更し、この変更されたフォントサイズの大きさに応じて吹き出し表示部分画面の全体の大きさを拡大縮小するので、表示装置の解像度に応じてフォントサイズを変更するとともに、フォントサイズに応じて拡大縮小して吹き出し表示を行うことができ、可読性を向上することができる。
【００６１】
本発明によれば、情報表示部を吹き出し表示部分画面内で自由に配置させ得るので、自由なデザインの吹き出し情報を自由なサイズおよび自由な表現で生成することができる。
【図面の簡単な説明】
【図１】本発明の一実施形態に係る吹き出し表示装置により吹き出し情報を表示している吹き出し表示部分画面を示す図である。
【図２】図１に示す吹き出し表示部分画面の詳細な構成を示す図である。
【図３】図１に示す実施形態に設けられている拡大縮小手段を説明するための図である。
【図４】図１に示す実施形態において吹き出し表示部分画面の全体をスクロールする例を示す説明図である。
【図５】図１に示す実施形態において情報表示部に表示されるＧＵＩを説明するための図である。
【図６】図１に示す実施形態の吹き出し表示処理を示すフローチャートである。
【図７】図１に示す実施形態のサイズ取得処理を示すフローチャートである。
【図８】図１に示す実施形態の表示処理を示すフローチャートである。
【図９】従来の吹き出し表示装置の吹き出し表示部分画面を示す図である。
【符号の説明】
１ａ，１ｂ，１ｃ，１ｄ，１ｅ　情報表示部
３　グループ表示エリア
５　複合表示エリア
７ａ，７ｂ，７ｃ，７ｄ，７ｅ，７ｆ，７ｇ　スクロールマーク
【図１】
2004045621.tif 000003
【図２】
2004045621.tif 000004
【図３】
2004045621.tif 000005
【図４】
2004045621.tif 000006
【図５】
2004045621.tif 000007
【図６】
2004045621.tif 000008
【図７】
2004045621.tif 000009
【図８】
2004045621.tif 000010
【図９】
2004045621.tif 000011